(57)【特許請求の範囲】
【請求項１】
ユーザの下腿を締め付けない程度に覆って保温するウォーマ本体と、
前記ウォーマ本体における前記下腿のツボに対向する位置に設けられて発熱する加温体とを備え、
前記ウォーマ本体は、
前記加温体に対して前記下腿の膝側となる直上および同下腿の足首側となる直下にそれぞれ設けられて前記ウォーマ本体を内側に向かってそれぞれ収縮させることにより前記加温体を前記ツボ側に変位させる収縮体を備えることを特徴とする加温式レッグウォーマ。
【請求項２】
請求項１に記載した加温式レッグウォーマにおいて、
前記加温体は、
電熱材料で構成されて前記下腿における複数の前記ツボごとに設けられるとともに、前記各加温体が互いに電気的に接続された状態で前記下腿の外周上をらせん状に延びる支持体によって支持されていることを特徴とする加温式レッグウォーマ。
【請求項３】
請求項２に記載した加温式レッグウォーマにおいて、
前記加温体に対して前記下腿側とは反対側に断熱材を備えることを特徴とする加温式レッグウォーマ。
【請求項４】
請求項２または請求項３に記載した加温式レッグウォーマにおいて、
前記ウォーマ本体は、
前記下腿に対向する内周面に同下腿に沿ってらせん状に延びるとともに両端部の少なくとも一方が開口して前記支持体を抜き挿し自在に保持する支持体ポケットを備えることを特徴とする加温式レッグウォーマ。
【請求項５】
請求項２ないし請求項４のうちのいずれか１つに記載した加温式レッグウォーマにおいて、
前記支持体より硬質な可撓性材料で構成されて前記支持体とは別体で同支持体に沿って配置される芯材を備えることを特徴とする加温式レッグウォーマ。
【請求項６】
請求項５に記載した加温式レッグウォーマにおいて、
前記芯材は、
前記支持体よりも長い長さに形成されるとともに先端部が丸みを帯びて形成されていることを加温式レッグウォーマ。
【発明の詳細な説明】
【技術分野】
【０００１】
本発明は、ユーザの下腿を温めながら保温する加温式レッグウォーマに関する。
【背景技術】
【０００２】
従来から、ユーザの下腿を覆って保温するレッグウォーマが知られている。例えば、下記特許文献１には、ユーザの下肢を覆って保温するレッグウォーマが開示されている。しかしながら、下記特許文献１に記載されたレッグウォーマは、下肢を覆って放熱を防ぐことにより下肢の保温を行うものであるが、寒さが厳しい場合や所謂冷え症体質のユーザには保温性が不十分に感じられる場合があった。
【０００３】
一方、例えば、下記特許文献２には、ユーザの下腿における所謂ツボ（経穴）に対向する位置に加温体を保持する下腿用サポータが開示されている。しかしながら、下記特許文献２に記載された下腿用サポータは、下腿の全体を締め付けた状態で加温体を保持しているため、この締付感によって装着時におけるリラックス感を得難いとともに加温体が下腿における特定の位置に固定的に強く押し付けられて不快に感じることがあるという問題があった。
【先行技術文献】
【特許文献】
【０００４】
【特許文献１】特開２００７−３１４９２２号公報
【特許文献１】実用新案登録第３０３４４３１号公報
【０００５】
本発明は上記問題に対処するためなされたもので、その目的は、寒さが厳しい場合や所謂冷え症体質のユーザに対してもリラックスした状態で下肢を効果的に温めることができる加温式レッグウォーマを提供することにある。
【発明の概要】
【０００６】
上記目的を達成するため、本発明の特徴は、ユーザの下腿を締め付けない程度に覆って保温するウォーマ本体と、ウォーマ本体における前記下腿のツボに対向する位置に設けられて発熱する加温体とを備え、ウォーマ本体は、加温体に対して前記下腿の膝側となる直上および同下腿の足首側となる直下にそれぞれ設けられてウォーマ本体を内側に向かってそれぞれ収縮させることにより加温体を前記ツボ側に変位させる収縮体を備えることにある。
【０００７】
このように構成した本発明の特徴によれば、加温式レッグウォーマは、ユーザの下腿を締め付けない状態で覆うウォーマ本体に下腿の所謂ツボ（経穴）に対応する位置に加温体を有するとともにこの加温体の直上および直下にウォーマ本体を収縮させるための収縮体を備えている構成されている。すなわち、加温式レッグウォーマは、ユーザの下腿をウォーマ本体で覆って保温しながらウォーマ本体における加温体に対して上側および下側の部分を部分的に下腿側に収縮させることによって加温体を間接的に下腿側に変位させている。これにより、加温式レッグウォーマは、ユーザの下腿をウォーマ本体で覆って保温しながら下腿のツボに対して加温体を強く押し付けることなく若干の相対変位を許容した状態で同ツボを温めることができる。この結果、加温式レッグウォーマは、寒さが厳しい場合や所謂冷え症体質のユーザに対してもリラックスした状態で下肢を効果的に温めることができる。
【０００８】
また、本発明の他の特徴は、前記加温式レッグウォーマにおいて、前記加温式レッグウォーマにおいて、加温体は、電熱材料で構成されて下腿における複数のツボごとに設けられるとともに、各加温体が互いに電気的に接続された状態で下腿の外周上をらせん状に延びる支持体によって支持されていることにある。
【０００９】
このように構成した本発明の他の特徴によれば、加温式レッグウォーマは、加温体が下腿における複数のツボごとに電熱材料で構成されているとともに各加温体が電気的に接続された状態で支持体によって支持されている。すなわち、加温式レッグウォーマは、複数の加温体が一体的に繋がった状態で構成されている。これにより、加温式レッグウォーマは、ユーザの下腿の動きによって加温体が下腿のツボから大きくずれることを防止することができる。また、加温式レッグウォーマは、支持体をウォーマ本体に対して着脱自在に構成することにより、複数の加温体を効率的にウォーマ本体に対して着脱することができる。なお、電熱材料とは、電気エネルギを受けて発熱する電気抵抗を有した材料であり、例えばニクロム線、カーボン繊維、ＰＴＣヒータなどによって構成されている。
【００１０】
また、本発明の他の特徴は、前記加温式レッグウォーマにおいて、加温体に対して下腿側とは反対側に断熱材を備えることにある。
【００１１】
このように構成した本発明の他の特徴によれば、加温式レッグウォーマは、加温体に対して下腿側とは反対側に断熱材を備えているため、加温体から発せられた熱がウォーマ本体の外部に逃げることを防止してウォーマ本体内における加温効果および保温性を向上させることができる。
【００１２】
また、本発明の他の特徴は、前記加温式レッグウォーマにおいて、ウォーマ本体は、下腿に対向する内周面に同下腿に沿ってらせん状に延びるとともに両端部の少なくとも一方が開口して支持体を抜き挿し自在に保持する支持体ポケットを備えることにある。
【００１３】
このように構成した本発明の他の特徴によれば、加温式レッグウォーマは、ウォーマ本体が加温体を支持した支持体を着脱自在に保持する支持体ポケットを備えて構成されている。これにより、ユーザは、ウォーマ本体に対して支持体を支持体ポケットに抜き挿しすることによって容易に着脱できるとともに、ウォーマ本体から支持体を取り外すことによってウォーマ本体を洗濯することができる。
【００１４】
また、本発明の他の特徴は、前記加温式レッグウォーマにおいて、支持体より硬質な可撓性材料で構成されて支持体とは別体で同支持体に沿って配置される芯材を備えることにある。
【００１５】
このように構成した本発明の他の特徴によれば、加温式レッグウォーマは、支持体より硬質な可撓性材料で構成されて支持体とは別体で同支持体に沿って配置される芯材を備えて構成されている。これにより、加温式レッグウォーマは、ユーザの下腿が動いた際に加温体が下腿のツボから大きく離隔することを芯材の弾性力によって抑えることができる。また、加温式レッグウォーマは、ウォーマ本体が支持体ポケットを備えている場合にはこの支持体ポケットに対して支持体を屈曲させることなく容易に抜き挿しすることができる。
【００１６】
また、本発明の他の特徴は、前記加温式レッグウォーマにおいて、芯材は、支持体よりも長い長さに形成されるとともに先端部が丸みを帯びて形成されていることにある。
【００１７】
このように構成した本発明の他の特徴によれば、加温式レッグウォーマは、芯材が支持体よりも長い長さに形成されるとともに先端部が丸みを帯びて形成されている。これにより、加温式レッグウォーマは、芯材の先端部が尖って形成されている場合に比べてウォーマ本体の損傷を防止することができる。また、加温式レッグウォーマは、ウォーマ本体が支持体ポケットを備えている場合にはこの支持体ポケットに対して支持体を円滑に挿し込むことができる。
【図面の簡単な説明】
【００１８】
【図１】本発明の一実施形態に係る加温式レッグウォーマの外観構成の概略を示した正面図である。
【図２】図１に示した左脚用の加温式レッグウォーマを構成するウォーマ本体を展開して内皮側から見たウォーマ本体の展開正面図である。
【図３】図１に示した左脚用の加温式レッグウォーマを構成するウォーマ本体を展開して外皮側から見たウォーマ本体の展開正面図である。
【図４】図１に示した加温式レッグウォーマをユーザの下腿に装着した際における３つのツボに対する支持体ポケットおよび加温体の位置関係を示した正面図である。
【図５】図１に示した加温式レッグウォーマを構成する加温体ＡＳＳＹの外観構成の概略を示した斜視図である。
【図６】図１に示した加温式レッグウォーマの制御システムのブロック図である。
【発明を実施するための形態】
【００１９】
以下、本発明に係る加温式レッグウォーマの一実施形態について図面を参照しながら説明する。図１は、本発明に係る加温式レッグウォーマ１００の外観構成の概略を示した正面図である。また、図２は、図１に示した加温式レッグウォーマ１００を構成するウォーマ本体１０１を展開して内皮１０２側から見たウォーマ本体１０１の展開正面図である。図３は、図１に示した加温式レッグウォーマ１００を構成するウォーマ本体１０１を展開して外皮１０３側から見たウォーマ本体１０１の展開正面図である。また、図４は、図１に示した加温式レッグウォーマ１００をユーザの下腿Ｌｅｇに装着した際における３つのツボに対する支持体ポケット１１０および加温体１２２の位置関係を示した正面図である。なお、本明細書において参照する各図は、本発明の理解を容易にするために一部の構成要素を誇張して表わすなど模式的に表している。このため、各構成要素間の寸法や比率などは異なっていることがある。この加温式レッグウォーマ１００は、ユーザの両脚における左右の下腿Ｌｅｇにそれぞれ装着されて同下腿Ｌｅｇを加温する器具である。
【００２０】
（加温式レッグウォーマ１００の構成）
加温式レッグウォーマ１００は、ユーザの両脚に対応する左右一対のウォーマ本体１０１をそれぞれ備えている。ウォーマ本体１０１は、ユーザの両脚における左右の下腿Ｌｅｇをそれぞれ覆って保温するための防寒具であり、下腿Ｌｅｇを締め付けない程度の貫通孔を有する筒状にそれぞれ形成されている。このウォーマ本体１０１は、ユーザの下腿Ｌｅｇに接するウォーマ本体１０１の内表面を構成する布製の内皮１０２とこの内皮１０２の外側に配置されてウォーマ本体１０１の外表面を構成する布製の外皮１０３とが図示しない綿材を介して互に縫合されて構成されている。この場合、内皮１０２と外皮１０３との間に充填される図示しない綿材は、ウォーマ本体１０１内の保温性を高めるための部材であり、樹脂綿で構成されている。
【００２１】
これらの内皮１０２および外皮１０３は、保温性を有しつつ肌触りの良い素材、例えば、ファー、ボア、パイル、モヘア、シール、フリースおよびフェルトなどの起毛素材でそれぞれ構成されている。そして、ウォーマ本体１０１は、図２および図３に示すように、図示上下方向に延びる長方形状に裁断した内皮１０２と外皮１０３とを互いに重ね合わせるとともに互いに重ね合わせた生地の長辺同士を互いに縫合することにより２つの開口部１０４ａ，１０４ｂを有した筒状に形成されている。この場合、互いに重ね合わされた内皮１０２および外皮１０３は、図１に示すように、ウォーマ本体１０１における一方（図示上側）の開口部１０４ａ側の一部の長辺同士が縫合されることなく互いに分離した状態に維持されて開放部１０５を構成している。
【００２２】
この開放部１０５を構成する内皮１０２および外皮１０３の各両端部には、一方の端部から周方向に離隔した位置に２つのボタン１０６ａがウォーマ本体１０１の長手方向（図示上下方向）に並んで設けられるとともに、他方の端部に前記２つのボタン１０６ａがそれぞれ掛けられる長孔を有した掛け片１０６ｂがボタン１０６ａ側に延びた状態で設けられている。これらのボタン１０６ａおよび掛け片１０６ｂは、加温式レッグウォーマ１００の下腿Ｌｅｇに装着した際に、両脚の外側にボタン１０６ａが位置するとともに同両脚の内側に掛け片１０６ｂが位置するようにそれぞれ設けられている。なお、図１においては、ユーザの右足に装着される図示左側のウォーマ本体１０１は開放部１０５が閉じた状態を示し、ユーザの左足に装着される図示右側のウォーマ本体１０１は開放部１０５が開いた状態を示している。また、この加温式レッグウォーマ１００は、左右対称に構成されている。
【００２３】
ウォーマ本体１０１の内周面を構成する内皮１０２の表面には、支持体ポケット１１０が設けられている。支持体ポケット１１０は、図４に示すように、後述する加温体ＡＳＳＹ１２０を着脱自在に保持する収容部であり、ウォーマ本体１０１における図示上側の開口部１０４ａに向かって開口する袋状に形成されている。この支持体ポケット１１０は、主として制御ボックス収容部１１１と加温体収容部１１２とが内皮１０２と同一の素材によって一体的に繋がった状態で構成されている。これらのうち、制御ボックス収容部１１１は、加温体ＡＳＳＹ１２０における制御ボックス１２１を収容する部分であり、制御ボックス１２１を収容可能な大きさの平面視で略長方形状に形成されている。なお、図４においては、支持体ポケット１１０の理解を容易するために、ウォーマ本体１０１を二点鎖線で示すとともに、下腿Ｌｅｇの前側に配置される支持体ポケット１１０の部分を実線で示し、下腿Ｌｅｇの後側に配置される支持体ポケット１１０の部分を破線で示している。
【００２４】
加温体収容部１１２は、加温体ＡＳＳＹ１２０における加温体１２２を備える支持体１２３、断熱体１２４および芯材１２５をそれぞれ収容する部分であり、筒状の内皮１０２の表面上にらせん状に延びて形成されている。より具体的には、加温体収容部１１２は、ウォーマ本体１０１をユーザの下腿Ｌｅｇに装着した際に下腿Ｌｅｇにおける３つのツボ（経穴）上を通るように内皮１０２上に帯状に延びて形成される。本実施形態においては、加温体収容部１１２は、ユーザの下腿Ｌｅｇにおける足三里Ｔ１，承山Ｔ２および三陰交Ｔ３の３つのツボ上を通るように内皮１０２上に形成される。このため、加温体収容部１１２は、本実施形態においては、図２に示すように、展開された方形状の内皮１０２の表面においてこの内皮１０２の対角線上に沿って形成されている。また、加温体収容部１１２の深さは、後述する支持体１２３、断熱体１２４および芯材１２５を挿入した際に支持体１２３に設けられた加温体１２２が前記３つのツボ上に位置する深さに形成されている。なお、図２および図３においては、加温体収容部１１２に対する前記３つのツボの位置を二点鎖線で示している。また、図３においては、内皮１０２の表面に設けられる支持体ポケット１１０を破線で示している。
【００２５】
これらの制御ボックス収容部１１１と加温体収容部１１２とは、ウォーマ本体１０１の開口部１０４ａ側の各先端部が互いに繋がって１つの大きな開口部１１３を形成している。そして、この開口部１１３の縁部および同縁部に対向する内皮１０２には、開口部１１３を開閉自在に閉じるためのボタン１１４が設けられている。
【００２６】
この支持体ポケット１１０内には、加温体ＡＳＳＹ１２０が収容されている。加温体ＡＡＳＹ１２０は、図５に示すように、ユーザの下腿Ｌｅｇを加温するための機器であり、主として、制御ボックス１２１、加温体１２２を備える支持体１２３、断熱体１２４および芯材１２５によって構成されている。制御ボックス１２１は、図６に示すように、加温体１２２の作動を制御するための機器であり、樹脂製の筺体１２１ａ内にコントローラ１２１ｂおよび電源部１２１ｃを備えるとともに筺体１２１ａの外表面に露出した状態で電源スイッチ１２１ｄおよび表示ランプ１２１ｅをそれぞれ備えて構成されている。
【００２７】
コントローラ１２１ｂは、ＣＰＵ、ＲＯＭ、ＲＡＭなどからなるマイクロコンピュータによって構成されており、加温体１２２の作動を制御する。具体的には、コントローラ１２１ｂは、ユーザによる電源スイッチ１２１ｄの操作に基づいてＲＯＭなどの記憶装置に予め記憶された制御プログラムを実行することによって加温体１２２に供給される電力量を調整して作動を制御する。すなわち、コントローラ１２１ｂと加温体１２２とは、電気的に接続されている。
【００２８】
電源部１２１ｃは、コントローラ１２１ｂ、表示ランプ１２１ｅおよび加温体１２２をそれぞれ駆動するための電力を供給する電池を保持する部分である。本実施形態においては、電源部１２１ｃは、２つの単三型乾電池を着脱自在に保持している。また、電源スイッチ１２１ｄは、コントローラ１２１ｂに対して電源部１２１ｃからの電力を供給および遮断する切り替える開閉器である。また、表示ランプ１２１ｅは、電源部１２１ｃからコントローラ１２１ｂに対して電力が供給されてコントローラ１２１ｂが作動している際に点灯する発光体であり、本実施形態においてはＬＥＤによって構成されている。
【００２９】
加温体１２２は、図４に示すように、ユーザの下腿Ｌｅｇにおける足三里Ｔ１，承山Ｔ２および三陰交Ｔ３の３つのツボをそれぞれ温めるための電熱器であり、コントローラ１２１ｂによる作動制御によって電源部１２１ｃから供給される電力に応じて発熱する。本実施形態においては、加温体１２２は、温度上昇に伴って電気抵抗が増大して発熱量が低下するＰＴＣ（Positive Temperature Coefficient）ヒータで構成されている。これら３つの加温体１２２は、前記加温体収容部１１２内において前記各３つのツボをそれぞれ別個に覆うことができる大きさのフィルム状に形成されている。そして、これら３つの加温体１２２は、前記加温体収容部１１２内において前記各３つのツボにそれぞれ対向する位置関係に配置された状態で支持体１２３によって支持されている。なお、図４においては、加温体１２２の理解を容易するために、下腿Ｌｅｇの前側に配置される加温体１２２を実線で示し、下腿Ｌｅｇの後側に配置される加温体１２２を破線で示している。
【００３０】
支持体１２３は、前記加温体収容部１１２内において撓み変形可能な状態で３つの加温体１２２を一体的に支持する帯状の部材である。具体的には、支持体１２３は、２つの帯状の樹脂製フィルムによって３つの加温体１２２を表裏面側からそれぞれ挟んで支持する。この場合、支持体１２３は、前記加温体収容部１１２内に収容可能な長さ、幅および厚さで構成されている。
【００３１】
断熱材１２４は、加温体１２２が発する熱のうちユーザの下腿Ｌｅｇ側とは反対側の外皮１０３側に放射される熱を遮って加温体１２２の熱損失を抑制するための帯状の部材であり、発泡ポリエチレンの表面にアルミニウム材を蒸着して構成されている。この断熱材１２４は、支持体１２３と略同一の幅でかつ同支持体１２３よりも若干（例えば、１０ｍｍ前後）長い長さに形成されて加温体１２２に対してユーザの下腿Ｌｅｇ側とは反対側の外皮１０３側に隣接配置されている。この場合、断熱材１２４は、加温体収容部１１２内に挿し込まれる先端部が半円形の丸みを帯びた形状に形成されている。
【００３２】
芯材１２５は、加温体収容部１１２内に収容される加温体１２２の剛性を補強するための帯状の部材であり、支持体１２３より硬質な樹脂材（例えば、ＰＥＴやＰＰ）で構成されている。この芯材１２５は、支持体１２３と略同一の幅でかつ同支持体１２３よりも若干（例えば、１０ｍｍ前後）長い長さに形成されて前記断熱材１２４に対して加温体１２２側とは反対側の外皮１０３側に隣接配置されている。この場合、芯材１２５は、加温体収容部１１２内に挿し込まれる先端部が半円形の丸みを帯びた形状に形成されている。
【００３３】
一方、ウォーマ本体１０１の外周面を構成する外皮１０３の表面には、加温体収容部１１２内に収容された３つの加温体１２２の各直上および各直下の各位置に周方向に沿って収縮体１３０が設けられている。収縮体１３０は、ウォーマ本体１０１を内側に向かって収縮させることにより加温体１２２を前記３つの各ツボ側に変位させるための伸縮性を有する部材であり、ウォーマ本体１０１の外皮１０３上の全周に亘って設けられている。本実施形態においては、収縮体１３０は、各加温体１２２ごとに伸縮性を有するゴム製の糸を外皮１０３に縫合することによって構成されている。すなわち、本実施形態においては、収縮体１３０は、６つ設けられている。
【００３４】
また、ウォーマ本体１０１の開口部１０４ａ，１０４ｂ側における外皮１０３上には、絞り体１３１がそれぞれ設けられている。絞り体１３１は、ウォーマ本体１０１における開口部１０４ａ，１０４ｂの部分を内側に向かって収縮させることにより、ウォーマ本体１０１をユーザの下腿Ｌｅｇに装着するとともに開口部１０４ａ，１０４ｂをユーザの下腿Ｌｅｇとの隙間を閉じてウォーマ本体１０１内の保温性を高めるための部材であり、前記収縮体１３０と同様に構成されている。
【００３５】
（加温式レッグウォーマ１００の作動）
次に、このように構成した加温式レッグウォーマ１００の作動について説明する。まず、この加温式レッグウォーマ１００を使用するユーザは、加温式レッグウォーマ１００を用意するとともに加温式レッグウォーマ１００の使用の準備をする。具体的には、ユーザは、制御ボックス１２１内における電源部１２１ｃに電池をセットした後、ウォーマ本体１０１におけるボタン１０６ａと掛け片１０６ｂとを外して開放部１０５を開放して制御ボックス１２１を支持体ポケット１１０における制御ボックス収容部１１１内に挿入する。
【００３６】
次に、ユーザは、加温体１２２を備えた支持体１２３、断熱体１２４および芯材１２５をそれぞれ支持体ポケット１１０における加温体収容部１１２内に挿入する。より具体的には、ユーザは、支持体１２３、断熱体１２４および芯材１２５をこの順番で重ねた状態で支持体ポケット１１０における加温体収容部１１２内に挿入する。
【００３７】
この場合、ユーザは、芯材１２５が支持体１２３より硬質な樹脂材料で構成されているため、らせん状に延びる加温体収容部１１２内において支持体１２３および断熱体１２４を屈曲させることなく挿入することができる。また、この場合、支持体１２３、断熱体１２４および芯材１２５は、それぞれ別体で構成されているため、らせん状に延びる加温体収容部１１２内にて互いに滑り合って摺動し合いながら挿入される。また、断熱体１２４および芯材１２５は、支持体１２３よりも長い長さに形成されるとともに各先端部が半円形の丸みを帯びた形状に形成されている。これらにより、ユーザは、らせん状に延びる加温体収容部１１２内に支持体１２３、断熱体１２４および芯材１２５を円滑に挿入することができる。また、ユーザは、支持体１２３が３つの加温体１２２を一体的に支持しているため、３つの加温体１２２を効率的に加温体収容部１１２内に配置することができる。
【００３８】
加温体ＡＳＳＹ１２０を支持体ポケット１１０内に収容した場合には、ユーザは、ボタン１１４を止めることによって開口部１１３を閉じる。これらの作業によって、ユーザは、加温体ＡＳＳＹ１２０を支持体ポケット１１０に収容することができる。
【００３９】
次に、ユーザは、加温式レッグウォーマ１００を自らの両脚における各下腿Ｌｅｇにそれぞれ装着する。具体的には、ユーザは、ウォーマ本体１０１の開放部１０５を開放した状態で（図１の右図参照）、靴下を履く要領でウォーマ本体１０１内に開口部１０４ａ側から足先を挿入してウォーマ本体１０１を下腿Ｌｅｇに位置させる。この場合、ユーザは、収縮体１３０および絞り体１３１によって収縮したウォーマ本体１０１の内部を足で押し広げながら挿入する。そして、ユーザは、下腿Ｌｅｇ上にウォーマ本体１０１に位置させた場合には、ウォーマ本体１０１における掛け片１０６ｂ内にボタン１０６ａを掛けて開放部１０５を閉じる。
【００４０】
これにより、加温式レッグウォーマ１００は、収縮体１３０および絞り体１３１の収縮力によって下腿Ｌｅｇの外周上に保持されて装着された状態となる。この場合、加温式レッグウォーマ１００は、ウォーマ本体１０１の支持体ポケット１１０内に収容した加温体１２２が、ユーザの下腿Ｌｅｇにおける３つのツボである足三里Ｔ１，承山Ｔ２および三陰交Ｔ３にそれぞれ対向した位置に位置決めされる。
【００４１】
次に、ユーザは、加温式レッグウォーマ１００による下腿Ｌｅｇの加温を開始する。具体的には、ユーザは、制御ボックス１２１における筐体１２１ａの上面に露出する電源スイッチ１２１ｄを押下してコントローラ１２１ｂを起動させる。これにより、コントローラ１２１ｂは、図示しない所定の制御プログラムを実行することにより表示ランプ１２１ｅを点灯させるとともに加温体１２２への給電を開始する。電源部１２１ｃから電力の供給を受けた３つの加温体１２２は、それぞれ給電量に応じて発熱を開始する。この場合、本実施形態においては、各加温体１２２の発熱量は互いに同じである。
【００４２】
加温体１２２の発熱の開始によってユーザは、下腿Ｌｅｇを温めることができる。この場合、各加熱体１２２は、直上および直下が収縮体１３０の収縮力によってユーザの下腿Ｌｅｇ側に変位させられている。すなわち、加温式レッグウォーマ１００は、ユーザの肌に加温体１２２が強く押し付けることなく若干の相対変位を許容した状態で温めることができる。また、加温式レッグウォーマ１００は、各加熱体１２２に対して外皮１０３側に断熱体１２４を備えているため、各加温体１２２から発せられた熱がウォーマ本体１０１の外部に逃げることを防止することができる。
【００４３】
そして、この加温体１２２による加温状態において、ユーザが足を移動させたり歩行したりするなどして下腿Ｌｅｇを動かした場合においても加熱式レッグウォーマ１００は、精度よく下腿Ｌｅｇを温めることができる。すなわち、加温式レッグウォーマ１００は、各加温体１２２が一体的に繋がった状態で構成されている。これにより、加温式レッグウォーマ１００は、ユーザの下腿Ｌｅｇの動きによって加温体１２２が下腿Ｌｅｇのツボから大きくずれることを防止することができる。また、加温式レッグウォーマ１００は、各加温体１２２に対して外皮１０３側に芯材１２５を備えているため、ユーザの下腿Ｌｅｇが動いた際に各加温体１２２が下腿Ｌｅｇのツボから大きく離隔することを芯材１２５の弾性力によって抑えることができる。なお、ユーザは、加温体１２２による加温が不必要な場合には、コントローラ１２１ｂを起動することなくウォーマ本体１０１を装着するのみで使用することもできる。
【００４４】
一方、ユーザは、この加温式レッグウォーマ１００の使用を終える場合には、電源スイッチ１２１ｄを再度押下してコントローラ１２１ｂの作動状態を停止させる。これにより、加温式レッグウォーマ１００は、表示ランプ１２１ｅを消灯させるとともに各加温体１２２への給電を停止させる。したがって、ユーザは、ウォーマ本体１０１におけるボタン１０６ａから掛け片１０６ｂを外して開放部１０５を開いた後、靴下を脱ぐ要領でウォーマ本体１０１内から足を抜き去ることにより、加温式レッグウォーマ１００を取り外すことができる。
【００４５】
ユーザの下腿Ｌｅｇから取り外した加温式レッグウォーマ１００は、取り外した状態で保管することができるとともにウォーマ本体１０１から加温体ＡＳＳＹ１２０を取り外すこともできる。具体的には、ユーザは、支持体ポケット１１０におけるボタン１１４を外して開口部１１３を開いた後、支持体ポケット１１０から加温体ＡＳＳＹ１２０を抜き取る。すなわち、ユーザは、制御ボックス収容部１１１内から制御ボックス１２１を抜き取るとともに、加温体収容部１１２から加温体１２２を備える支持体１２３、断熱体１２４および芯材１２５を抜き取る。この場合、ユーザは、支持体１２３が３つの加温体１２２を一体的に支持しているため、３つの加温体１２２を効率的に加温体収容部１１２内から除去することができる。そして、ユーザは、加温体ＡＳＳＹ１２０が抜き取られたウォーマ本体１０１を洗濯などした後保管することができる。
【００４６】
上記作動説明からも理解できるように、上記実施形態によれば、加温式レッグウォーマ１００は、ユーザの下腿Ｌｅｇを締め付けない状態で覆うウォーマ本体１０１に下腿Ｌｅｇの所謂ツボ（経穴）に対応する位置にそれぞれ加温体１２２を有するとともにこれらの各加温体１２２の直上および直下にウォーマ本体１０１を収縮させるための収縮体１３０を備えている構成されている。すなわち、加温式レッグウォーマ１００は、ユーザの下腿Ｌｅｇをウォーマ本体１０１で覆って保温しながらウォーマ本体１０１における加温体１２２に対して上側および下側の部分を部分的に下腿Ｌｅｇ側に収縮させることによって加温体１２２を間接的に下腿Ｌｅｇ側に変位させている。これにより、加温式レッグウォーマ１００は、ユーザの下腿Ｌｅｇをウォーマ本体１０１で覆って保温しながら下腿Ｌｅｇのツボに対して加温体１２２を強く押し付けることなく若干の相対変位を許容した状態で同ツボを温めることができる。この結果、加温式レッグウォーマ１００は、寒さが厳しい場合や所謂冷え症体質のユーザに対してもリラックスした状態で下肢を効果的に温めることができる。
【００４７】
さらに、本発明の実施にあたっては、上記実施形態に限定されるものではなく、本発明の目的を逸脱しない限りにおいて種々の変更が可能である。
【００４８】
例えば、上記実施形態においては、加温式レッグウォーマ１００は、ユーザの下腿Ｌｅｇにおける足三里Ｔ１，承山Ｔ２および三陰交Ｔ３の３つのツボ上を温めるように構成した。しかし、加温式レッグウォーマ１００は、ユーザの下腿Ｌｅｇにおける少なくとも１つ以上のツボを温めるように構成されていれば、必ずしも、上記実施形態に限定されるものではない。すなわち、加温式レッグウォーマ１００は、加温体１２２を１つまたは４つ以上備えて構成することができ、加温の対象となるツボも足三里Ｔ１，承山Ｔ２および三陰交Ｔ３のうちの少なくとも１つであればよいとともにこれら３つのツボ以外のツボであってもよい。また、加温体１２２は、１つの加温体１２２が１つのツボを温めるように構成してもよいし、２つ以上の複数のツボを温めるように構成することもできる。
【００４９】
また、上記実施形態においては、加温式レッグウォーマ１００は、３つの加温体１２２を支持体１２３によって一体的に支持するように構成した。しかし、加温式レッグウォーマ１００は、３つの加温体１２２をそれぞれ別個に備えるように構成してもよい。この場合、加温式レッグウォーマ１００は、各加温体１２２を保持するために支持体ポケット１１０に相当する収容用ポケットを各加温体１２２ごとに設けるようにしてもよいし、各加温体１２２を面ファスナ、ボタンおよびホックなどを用いて内皮１０２に着脱自在に保持させるようにしてもよい。
【００５０】
また、上記実施形態においては、加温式レッグウォーマ１００は、加温体ＡＳＳＹ１２０を支持体ポケット１１０内に収容するように構成した。しかし、加温式レッグウォーマ１００は、支持体ポケット１１０に代えてまたは加えて加温体ＡＳＳＹ１２０を内皮１０２に対して面ファスナ、ボタンおよびホックなどを用いて着脱自在に保持させるようにしてもよい。
【００５１】
また、上記実施形態においては、加温式レッグウォーマ１００は、加温体ＡＳＳＹ１２０をウォーマ本体１０１に対して着脱自在に保持するように構成した。しかし、加温式レッグウォーマ１００は、加温体ＡＳＳＹ１２０をウォーマ本体１０１に対して着脱不能な固定状態で保持するように構成することもできる。
【００５２】
また、上記実施形態においては、加温式レッグウォーマ１００は、加温体１２２を電池によって駆動するように構成した。しかし、加温式レッグウォーマ１００は、加温体１２２を外部電源（例えば、１００Ｖコンセント）からの電力供給によって駆動するように構成することもできる。
【００５３】
また、上記実施形態においては、加温体１２２は、電熱材料であるＰＴＣヒータによって構成した。しかし、加温体１２２は、ユーザの下腿Ｌｅｇを温めることができる発熱体であれば、上記実施形態に限定されるものではない。すなわち、加温体１２２は、ＰＴＣヒータに代えてまたは加えてＰＴＣヒータ以外の電熱材料、例えば、ニクロム線やカーボン繊維を採用してもよいし、電熱材料以外の発熱体、例えば、カイロなどを採用することもできる。
【００５４】
また、上記実施形態においては、収縮体１３０は、ゴム製の糸で構成した。しかし、収縮体１３０は、ウォーマ本体１０１の外側や内側に設けられてウォーマ本体を内側に向かって弾性的に収縮させることができるもので構成されていれば、上記実施形態に限定されるものではない。したがって、収縮体１３０は、例えば、ゴム材を糸よりも幅のあるバンド状に形成することもできる。また、これらの糸状およびバンド状の収縮体１３０は、加温体１２２を下腿Ｌｅｇのツボ側に変位させることができる範囲で加温体１２２の直上および直下に配置すればよい。
【００５５】
また、上記実施形態においては、加温体ＡＳＳＹ１２０は、加温体１２２に隣接して断熱体１２４を設けて構成した。しかし、加温体ＡＳＳＹ１２０は、断熱体１２４を省略して構成してもユーザの下腿Ｌｅｇを温めることができるものである。また、本発明においては、断熱体１２４は、加温体１２２よりも長く形成するとともに先端部を半円形の丸みを帯びた形状に形成した。しかし、断熱体１２４は、加温体１２２から発する熱がウォーマ本体から逃げることを防止できる材料、大きさおよび形状に形成されていれば、上記実施形態に限定されるものではない。また、断熱体１２４は、加温体１２２、支持体１２３および芯材１２５の表面に貼り付けることによってこれらと一体的に構成することもできる。
【００５６】
また、上記実施形態においては、加温体ＡＳＳＹ１２０は、加温体１２２に沿って芯材１２５を設けて構成した。しかし、加温体ＡＳＳＹ１２０は、芯材１２５を省略して構成してもユーザの下腿Ｌｅｇを温めることができるものである。また、本発明においては、芯材１２５は、加温体１２２よりも長く形成するとともに先端部を半円形の丸みを帯びた形状に形成した。しかし、芯材１２５は、加温体１２２や支持体１２３の屈曲を防止できる材料、例えば、これらよりも剛性が高い材料、大きさおよび形状に形成されていれば、上記実施形態に限定されるものではない。また、芯材１２５は、加温体１２２や支持体１２３の表面に貼り付けることによってこれらと一体的に構成することもできる。また、支持体１２３を構成する材料を芯材１２４と同様の材料で構成することにより、芯材１２４の機能を支持体１２３に持たせることもできる。
【００５７】
また、上記実施形態においては、ウォーマ本体１０１は、ユーザの下腿Ｌｅｇを覆う筒状に形成して構成した。しかし、ウォーマ本体１０１は、下腿Ｌｅｇを締め付けない程度に覆って保温する形状に形成されていれば、上記実施形態に限定されるものではない。したがって、ウォーマ本体１０１は、例えば、ユーザの上腿や足先まで覆う筒状または靴下のような有底筒状に形成されていてもよい。なお、ウォーマ本体１０１がユーザの下腿Ｌｅｇを締め付けない程度とは、収縮体１３０や絞り体１３１がないウォーマ本体１０１単体のみでは下腿Ｌｅｇへの実質的な装着状態を維持できない緩い状態である。
【符号の説明】
【００５８】
Ｌｅｇ…下腿、
１００…加温式レッグウォーマ、
１０１…ウォーマ本体、１０２…内皮、１０３…外皮、１０４ａ，１０４ｂ…開口部、１０５…開放部、１０６ａ…ボタン、１０６ｂ…掛け片、
１１０…支持体ポケット、１１１…制御ボックス収容部、１１２…加温体収容部、１１３…開口部、１１４…ボタン、
１２０…加温体ＡＳＳＹ、１２１…制御ボックス、１２１ａ…筐体、１２１ｂ…コントローラ、１２１ｃ…電源部、１２１ｄ…電源スイッチ、１２１ｅ…表示ランプ、１２２…加温体、１２３…支持体、１２４…断熱体、１２５…芯材、
１３０…収縮体、１３１…絞り体。
【要約】      （修正有）【課題】寒さが厳しい場合や所謂冷え症体質のユーザに対してもリラックスした状態で下肢を効果的に温めることができる加温式レッグウォーマを提供する。【解決手段】加温式レッグウォーマ１００は、ユーザの下腿Ｌｅｇを締め付けない程度に覆って保温するウォーマ本体を備えている。ウォーマ本体は、ユーザの下腿Ｌｅｇに接する内皮とウォーマ本体の外表面を構成する布製の外皮とが綿材を介して互に縫合されて構成されている。内皮の表面には、加温体ＡＳＳＹを着脱自在に保持する支持体ポケット１１０がらせん状に形成されている。加温体ＡＳＳＹは、制御ボックス１２１、加温体１２２を備える支持体、断熱体および芯材によって構成されている。加温体１２２は、ユーザの下腿Ｌｅｇにおける足三里Ｔ１，承山Ｔ２および三陰交Ｔ３の各ツボをそれぞれ温めるためのＰＴＣヒータで構成されている。【選択図】図４【図１】
0005196689.tif 000002
【図２】
0005196689.tif 000003
【図３】
0005196689.tif 000004
【図４】
0005196689.tif 000005
【図５】
0005196689.tif 000006
【図６】
0005196689.tif 000007